(57)【要約】【課題】放射性物質で汚染された建物を洗浄した後の土砂などを含む放射性汚染水を効率良く処理できる放射性汚染水処理システムを提案すること。【解決手段】放射能汚染水処理システム１では、凝集沈殿槽３において回収した汚染水Ｗ１にポリ乳酸系の生分解性の凝集剤１１を撹拌混合して、固形成分を凝集させて沈殿させることで除去する。固形成分を除去した後の汚染水Ｗ３を、ゼオライト固体粒子とセラミック炭の粒子を吸着剤として用いた除染装置５に通して放射性物質が確実に吸着除去される。凝集沈殿槽３に溜まった沈殿物Ｗ２は濃縮槽４に送り込み脱水して減容化した濃縮汚泥Ｗ４にする。また、生分解性の凝集剤１１が水と二酸化炭素に生分解するので、廃棄させる濃縮汚泥Ｗ４の量を少なくできる。【選択図】図１
2013120097.tif 000002
【特許請求の範囲】
【請求項１】
汚染水から放射性物質を吸着除去する除染装置であって、
ゼオライトの固体粒子からなる所定厚さの中間ろ過層を挟み、上下にセラミック炭の粒子からなる所定厚さの下側ろ過層および上側ろ過層が積層配置されているろ過器と、
除染対象の汚染水を前記ろ過器内に導入して、前記下側ろ過層の側から前記中間ろ過層を経由させて前記上側ろ過層の側に流す汚染水供給路と、
前記上側ろ過層を経由して得られる除染水を前記ろ過層から外部に排出する除染水排出路とを有しており、
前記セラミック炭は、廃木材をベントナイトと混合して焼成して得られた所定粒径のセラミック炭であることを特徴とする除染装置。
【請求項２】
固形成分を含む放射能汚染水を、生分解性の凝集剤と共に凝集沈殿槽に投入して撹拌混合し、これによって得られる撹拌混合物を静置して、当該撹拌混合物に含まれている固形成分を凝集沈殿させる放射能汚染水の固液分離工程と、
前記凝集沈殿槽の底に沈殿した放射性物質を含む沈殿物を当該凝集沈殿槽から濃縮槽に送り込み、当該濃縮槽において前記沈殿物を脱水処理して濃縮化することで減容化すると共に、前記沈殿物に含まれている前記凝集剤が水と二酸化炭素に生分解することで、減容化した濃縮汚泥を得る沈殿物の濃縮・減容化工程と、
前記濃縮汚泥を廃棄するために前記濃縮槽から排出する濃縮汚泥排出工程と、
前記濃縮槽における前記脱水処理によって発生した汚染水を前記凝集沈殿槽に還流させる汚染水還流工程と、
前記凝集沈殿槽において前記固形成分が凝集沈殿した後に得られる上澄み液を、請求項１に記載の除染装置に通して、当該上澄み液に含まれている放射性物質を吸着分離し、前記放射性物質が吸着分離された後の廃液を所定の場所に廃棄する廃液排出工程とを有しており、
前記凝集剤として、ポリ乳酸系の生分解性の凝集剤を用いることを特徴とする放射能汚染水処理方法。
【請求項３】
請求項２に記載の放射能汚染水処理方法において、
前記濃縮・減容化工程では、前記沈殿物にセメントあるいはモルタルを混合した後に、真空高圧脱水処理を施すことにより、前記濃縮汚泥を固形化汚泥として生成することを特徴とする放射能汚染水処理方法。
【請求項４】
請求項２に記載の放射能汚染水処理方法に用いる放射能汚染水処理システムであって、
前記凝集沈殿槽と、
回収した前記放射能汚染水を前記凝集沈殿槽に投入する放射能汚染水供給部と、
前記生分解性の凝集剤を前記凝集沈殿槽に投入する凝集剤供給部と、
前記凝集沈殿槽に投入された前記放射能汚染水および前記生分解性の凝集剤を撹拌混合する攪拌機と、
前記濃縮槽と、
前記凝集沈殿槽の底に溜まった沈殿物を前記濃縮槽に送り込む沈殿物搬送機構と、
前記除染装置と、
前記凝集沈殿槽の前記上澄み液を前記除染装置に圧送する汚染水圧送ポンプと、
前記濃縮槽で発生した前記汚染水を前記凝集沈殿槽に還流させる汚染水還流ポンプとを有していることを特徴とする放射能汚染水処理システム。
【請求項５】
請求項４に記載の放射能汚染水処理システムにおいて、
前記凝集沈殿槽は、第１沈殿槽および第２沈殿槽と、これらの上端部分を相互に連通している連通路とを備えており、
前記第１沈殿槽に、前記放射能汚染水および前記生分解性の凝集剤が投入されて、前記攪拌機によって撹拌混合されるようになっており、
前記第２沈殿槽の前記上端部分における前記連通路から最も離れた位置に、前記汚染水圧送ポンプの吸引口が開口しており、
前記第１沈殿槽および前記第２沈殿槽の底に溜まった前記沈殿物のそれぞれが、前記沈殿物搬送機構によって前記濃縮槽に送り込まれることを特徴とする放射能汚染水処理システム。
【発明の詳細な説明】
【技術分野】
【０００１】
本発明は、放射能汚染水から放射性物質を吸着除去するのに適したろ過器を備えた除染装置、当該除染装置を用いた放射能汚染水処理方法および放射能汚染水処理システムに関する。さらに詳しくは、建物その他の構造物などを洗浄することによって生じる土などの固形成分を含む放射能汚染水、放射性物質で汚染された建物から雨樋等を通って排出される放射能汚染雨水等を確実に除染できる除染装置、および、これらの汚染水、汚染雨水等に含まれている汚染固形物を減容化して廃棄処分できるようにした放射能汚染水処理方法および放射能汚染水処理システムに関する。
【背景技術】
【０００２】
放射性物質で汚染された建物などの除染作業においては屋根、床面などに洗浄水を高圧で吹き付けて放射能汚染物質を洗い流す高圧洗浄が採用される。高圧洗浄によって発生した放射能汚染水は、ゼオライト固体粒子などを吸着剤として用いたろ過器に通して放射性物質を吸着除去した後に廃棄する必要がある。
【０００３】
また、放射性物質で汚染された建物等においては、雨水によって屋根等に付着していた放射性物質で汚染された汚染物質が洗い流され、雨水に混入して雨樋などを通って地面などに流れ出て、土壌などを汚染するおそれがある。したがって、雨樋を伝って流れ落ちる雨水をろ過器などに通して放射性物質を除去する必要がある。
【０００４】
放射性物質を除去するための吸着剤としては、特許文献１、２に開示されているようにゼオライトの固体粒子を用いることが知られている。また、雨水をろ過するための処理装置として、特許文献３にはゼオライト固体粒子を用いて雨水を殺菌する装置が開示されており、特許文献４、５には活性炭を用いて雨水をろ過する装置が開示されている。
【先行技術文献】
【特許文献】
【０００５】
【特許文献１】特開２００５−３４２９号公報
【特許文献２】特開２００２−２６７７９５号公報
【特許文献３】特許第３７５９６７４号公報
【特許文献４】特開平１０−７６２５２号公報
【特許文献５】特開平９−８５２３４号公報
【発明の概要】
【発明が解決しようとする課題】
【０００６】
ここで、建物の屋根などを高圧洗浄によって洗浄することにより発生した放射性物質を含む放射能汚染水には土砂などの固形成分が多量に含まれている。同様に、放射性物質で汚染された建物の屋根などから流れる落ちる雨水にも土砂などの固形成分が含まれている。したがって、このような汚染水をそのままゼオライト固体粒子などを吸着剤として用いたろ過器に通して放射性物質を吸着除去すると、吸着剤の目詰まり等によって吸着性能が低下してしまい好ましくない。このため、汚染水から土砂などの固形成分を分離除去した後に、ろ過器に通す必要がある。この場合、分離除去された土砂は放射性物質で汚染されているので、これをそのまま廃棄することができず、予め定められた汚染物最終処分場に搬送して廃棄する必要がある。したがって、搬送、廃棄処理の効率化を図るためには、分離除去された土砂などの汚泥の減容化を図ることが望ましい。
【０００７】
また、汚染水から放射性物質を吸着除去するための吸着剤としてはゼオライト固体粒子を用いることが知られているが、汚染水から放射性物質をより確実に吸着除去できるようにすることが望ましい。
【０００８】
本発明の課題は、このような点に鑑みて、汚染水から放射性物質を確実に吸着除去するのに適したろ過器を備えた除染装置を提案することにある。
【０００９】
また、本発明の課題は、放射性物質で汚染された建物などを洗浄することによって生じた土砂などの固形成分を含む放射性汚染水を効率良く処理することのできる放射能汚染水処理方法および放射能汚染水処理システムを提案することにある。
【課題を解決するための手段】
【００１０】
上記の課題を解決するために、本発明による汚染水から放射性物質を吸着除去する除染装置は、
所定粒径のゼオライトの固体粒子からなる所定厚さの中間ろ過層を挟み、上下に所定粒径のセラミック炭の粒子からなる所定厚さの上側ろ過層および下側ろ過層が積層配置されているろ過器と、
除染対象の汚染水を前記ろ過器内に導入して、前記下側ろ過層の側から前記中間ろ過層を経由させて前記上側ろ過層の側に流す汚染水供給路と、
前記上側ろ過層を経由して得られるろ過後の廃液を前記ろ過層から外部に排出する廃液排出路とを有しており、
前記セラミック炭は、廃木材をベントナイトと混合して焼成して得られた所定粒径のセラミック炭であることを特徴としている。
【００１１】
放射能汚染水は、まず、セラミック炭の粒子からなる下側ろ過層を通り、次に、ゼオライトの固体粒子からなる中間ろ過層を通り、さらに、セラミック炭の粒子からなる上側ろ過層を通る。ゼオライトの固体粒子とセラミック炭の粒子による複合効果あるいは相乗効果によって、汚染水に含まれている放射性物質が確実に除去される。例えば、ゼオライトの固体粒子だけでは除去できない放射性物質がセラミック炭によって吸着される。また、ゼオライトとセラミック炭の電気特性の違いにより放射性物質の選別吸着が行われ、結果として、様々な物質に吸着した放射性物質を幅広く除染できる。
【００１２】
次に、本発明の放射能汚染水処理方法は、
固形成分を含む放射能汚染水を、生分解性の凝集剤と共に凝集沈殿槽に投入して撹拌混合し、これによって得られる撹拌混合物を静置して、当該撹拌混合物に含まれている固形成分を凝集沈殿させる放射能汚染水の固液分離工程と、
前記凝集沈殿槽の底に沈殿した放射性物質を含む沈殿物を当該凝集沈殿槽から濃縮槽に送り込み、当該濃縮槽において前記沈殿物を脱水処理して濃縮化することで減容化すると共に、前記沈殿物に含まれている前記凝集剤が水と二酸化炭素に生分解することで、減容化した濃縮汚泥を得る沈殿物の濃縮・減容化工程と、
前記濃縮汚泥を廃棄するために前記濃縮槽から排出する濃縮汚泥排出工程と、
前記濃縮槽における前記脱水処理によって発生した汚染水を前記凝集沈殿槽に還流させる汚染水還流工程と、
前記凝集沈殿槽において前記固形成分が凝集沈殿した後に得られる上澄み液を、除染装置に通して、当該上澄み液に含まれている放射性物質を吸着分離し、前記放射性物質が吸着分離された後の廃液を所定の場所に廃棄する廃液排出工程とを有しており、
除染装置として、ゼオライトの固体粒子およびセラミック炭の粒子を吸着剤として用いている上記構成の除染装置を用い、
前記凝集剤として、ポリ乳酸系の生分解性の凝集剤を用いることを特徴としている。
【００１３】
本発明の放射能汚染水処理方法によれば、上記構成の除染装置を用いて汚染水をろ過することによって、汚染水から放射性物質を確実に吸着除去できる。また、放射能汚染物質から固形成分を分離除去するために生分解性の凝集剤を使用している。一般に凝集沈殿法により水溶液中の溶質を分離除去した場合、凝集剤自体も汚泥となり、汚泥の容積が増加してしまう。通常の汚泥であれば凝集剤による増量分は問題にならない場合でも、放射性物質を含む場合には少しでも汚泥発生量を減少させることが不可欠である。本発明の処理方法によれば、ポリ乳酸系の生分解性の凝集剤を用いているので、汚泥を脱水処理して濃縮化することで減容化を図っている間に、汚泥に含まれている凝集剤の殆どが水と二酸化炭素に分解するので、これによっても汚泥の減容化を図ることができる。したがって、発生する汚泥の増加を抑制できる。
【００１４】
ここで、発生する汚泥の後処理（搬送、廃棄処理）を容易にするために、前記濃縮・減容化工程において、前記沈殿物にセメントあるいはモルタルを混合した後に、真空高圧脱水処理を施すことにより、前記濃縮汚泥を固形化汚泥とし、これを搬送して廃棄するようにしてもよい。
【図面の簡単な説明】
【００１５】
【図１】本発明を適用した放射能汚染水処理システムの実施の形態を示す概略構成図である。
【図２】図１の放射能汚染水処理システムの処理の流れを示す動作説明図である。
【図３】本発明を適用した雨樋下設置用のポータブル式放射性物質吸着装置を示す概略構成図である。
【発明を実施するための形態】
【００１６】
以下に、図面を参照して本発明の実施の形態を説明する。
【００１７】
（放射能汚染水処理システム）
図１は本発明を適用した放射能汚染水処理システムを示す概略構成図である。本例の放射能汚染水処理システム１は、放射性物質で汚染された住宅などの建物の屋根、壁等に高圧洗浄水を吹き付けて洗浄した後に発生した放射能汚染水を処理するためのものである。
【００１８】
放射能汚染水処理システム１は、放射能汚染水Ｗ１の供給部２と、放射能汚染水Ｗ１に含まれている土砂などの固形成分を凝集沈殿法により固液分離するための凝集沈殿槽３と、凝集沈殿槽３の底に溜まった沈殿物Ｗ２を脱水して濃縮することで減容化を図る濃縮槽４と、凝集沈殿槽３で固形成分が分離除去された後の汚染水Ｗ３から放射性物質を吸着除去するための除染装置５とを備えている。
【００１９】
供給部２は、住宅等の建物の高圧洗浄によって生じた放射能汚染水Ｗ１を回収する汚染水回収タンク６を備えている。回収された放射能汚染水Ｗ１には土砂などの固形成分が含まれている。汚染水回収タンク６に回収された放射能汚染水Ｗ１は、汚染水供給ポンプ７によって吸い上げられて供給管７ａを介して凝集沈殿槽３に供給される。
【００２０】
凝集沈殿槽３は第１沈殿槽８および第２沈殿槽９を備えており、これら第１、第２沈殿槽８、９の上端部分は、連通部１０を介して相互に連通している。第１沈殿槽８には、不図示の凝集剤供給部から生分解性の凝集剤１１が供給されるようになっている。本例では、ポリ乳酸系の生分解性の凝集剤１１が供給される。第１沈殿槽８には攪拌機１４が備わっており、攪拌機１４によって、第１沈殿槽８に供給された放射能汚染水Ｗ１に凝集剤１１が撹拌混合される。
【００２１】
第１、第２沈殿槽８、９の底は漏斗状となっており、それらの下端からは、開閉用のコック１２ａ、１３ａを備えた沈殿物排出路１２、１３が下方に垂直に延びている。第１、第２沈殿槽８、９の底に溜まった沈殿物Ｗ２は沈殿物排出路１２、１３を介して、それらの下側に傾斜配置されているスクリューコンベア１６からなる沈殿物搬送機構１７に供給される。スクリューコンベア１６によって沈殿物Ｗ２が濃縮槽４に送り込まれる。濃縮槽４は脱水機を備えており、沈殿物Ｗ２を脱水して減容化された濃縮汚泥Ｗ４とする。濃縮槽４において沈殿物Ｗ２を脱水処理することによって発生した汚染水Ｗ５は、汚染水還流ポンプ１８によって、汚染水還流管１８ａを通って第１沈殿槽８における放射能汚染水Ｗ１の供給口７ｂに戻り、ここから第１沈殿槽８に供給される。
【００２２】
一方、第２沈殿槽９には汚染水圧送ポンプ２０が付設されている。この第２沈殿槽９の上端部分における連通部１０から最も離れた位置に、汚染水圧送ポンプ２０の吸引口が開口している。汚染水圧送ポンプ２０によって、第２沈殿槽９に溜まっている固形成分が除去された後の汚染水Ｗ３が除染装置５に圧送される。
【００２３】
除染装置５は、汚染水Ｗ３から放射性物質を吸着除去するものであり、所定粒径のゼオライトの固体粒子からなる所定厚さの中間ろ過層２１を挟み、上下に所定粒径のセラミック炭の粒子からなる所定厚さの上側ろ過層２２および下側ろ過層２３が積層配置されている筒状容器２４を備えたろ過器２５を有している。セラミック炭は、後述のように、廃木材をベントナイトと混合して焼成して得られた所定粒径のセラミック炭である。筒状容器２４は垂直に配置されており、その天面２４ａの中心を貫通して垂直に汚染水供給管２６ａが延びている。汚染水供給管２６ａの下端は、筒状容器２４の底面２４ｂと下側ろ過層２３と間に形成した底側連通部２６ｂに繋がっている。
【００２４】
汚染水圧送ポンプ２０から汚染水供給管２６ａに圧送される汚染水Ｗ３は、底側連通部２６ｂから下側ろ過層２３、中間ろ過層２１および上側ろ過層２２を順次に通過して、筒状容器２４の天面２４ａと上側ろ過層２２の間の天側連通部２７ａに至る。この天側連通部２７ａは、筒状容器２４の上端外周面から横方に水平に延びている排出管２７ｂに連通している。下側ろ過層２２、中間ろ過層２１および上側ろ過層２３を通って汚染水Ｗ３に含まれている放射性物質が吸着除去された後の廃液Ｗ６は、天側連通部２７ａから排出管２７ｂを通って外部に放流される。
【００２５】
ろ過器２５の筒状容器２４の底面２４ｂからは下方に向けて垂直に沈殿物排出管２８が延びており、沈殿物排出管２８は開閉用のコック２８ａを介して、沈殿物搬送機構１７に繋がっている。ろ過器２５の底側連通部２６ｂに溜まった沈殿物Ｗ７は沈殿物排出管２８を通って沈殿物搬送機構１７のスクリューコンベア１６に排出され、スクリューコンベア１６によって濃縮槽４に送り込まれるようになっている。
【００２６】
ここで、ろ過器２５に使用しているセラミック炭は植物系廃棄物のリサイクル材である。セラミック炭の原材料は、廃棄物として処分されるキノコ排菌床（廃おが屑）・おが屑・もみ殻等の植物系粒子状材料や間伐材・街路樹の剪定枝・製材端材をチップ化し、さらに粒子状にしたものである。このような原材料の粒子と、ベントナイトを主成分とする粘結材とを撹拌混合し、粒子の周りに粘結材を薄く皮膜した状態にする。粘結材の皮膜が形成された原材料の粒子を、炭化炉で７００〜８００℃の高温で焼き上げる。この結果、炭粒子の周りが薄いセラミックデコーティングされたセラミック炭が得られる。セラミック炭は多孔質であるが、外側のセラミック部と内側の炭化部の孔質形状が異なる。
【００２７】
図２は上記構成の放射能汚染水処理システム１の処理の流れを示す説明図である。まず、図２（ａ）を参照して説明すると、放射能汚染水Ｗ１が汚染水回収タンク６に集められる（工程ＳＴ１）。汚染水回収タンク６に溜まった放射能汚染水Ｗ１は、汚染水供給ポンプ７によって凝集沈殿槽３の第１沈殿槽８に所定量汲み上げられる（工程ＳＴ２）。次に、第１沈殿槽８に凝集剤１１を所定量投入し（工程ＳＴ３）、攪拌機１４を駆動して、放射能汚染水Ｗ１に凝集剤１１を撹拌混合し、しかる後に放射能汚染水Ｗ１を静置する。凝集剤１１によって放射能汚染水Ｗ１に含まれている固形成分が凝集して分離して沈殿する（工程ＳＴ４）。これにより、第１沈殿槽８には、固形成分が分離された汚染水Ｗ３（上澄み液）が得られる（工程ＳＴ５）。
【００２８】
次に、汚染水Ｗ３を、連通部１０を介して第２沈殿槽９に移す。汚染水Ｗ３を第２沈殿槽９において静置することで、汚染水Ｗ３に含まれている固形成分が凝集して分離して沈殿する（工程ＳＴ６）。しかる後に、汚染水圧送ポンプ２０を駆動して、汚染水Ｗ３を汲み上げて除染装置５に圧送する（工程ＳＴ７）。除染装置５のろ過器２５の内部を下側から上側に汚染水Ｗ３が圧送されて、セラミック炭の下側ろ過層２３、ゼオライトの中間ろ過層２１およびセラミック炭の上側ろ過層２２を流れる間に、汚染水Ｗ３から放射性物質が吸着除去される（工程ＳＴ８）。放射性物質が除去された後の廃液Ｗ６は排出管２７ｂから外部に放出される（工程ＳＴ９）。
【００２９】
一方、図２（ｂ）に示すように、第１沈殿槽８、第２沈殿槽９、除染装置５のろ過器２５に溜まった沈殿物Ｗ２、Ｗ７は、スクリューコンベア１６によって濃縮槽４に送り込まれる。濃縮槽４において沈殿物Ｗ２には脱水処理が施されて濃縮汚泥Ｗ４になる。濃縮槽４において凝集剤１１が水と二酸化炭素に生分解される。よって、濃縮汚泥Ｗ４が減容化される。濃縮槽４で得られた脱水後の濃縮汚泥Ｗ４（脱水汚泥）が汚染物最終処分場に送られて廃棄される。ここで、脱水処理によって発生した汚染水Ｗ５は、濃縮槽４から汚染水還流ポンプ１８によって還流管１８ａを介して再び第１沈殿槽８に戻され、図２（ａ）に示す除染処理が施される。
【００３０】
このように、本例では、固形成分を含む放射能汚染水Ｗ１を、生分解性の凝集剤１１と共に凝集沈殿槽３に投入して撹拌混合し、これによって得られる撹拌混合物を静置して、当該撹拌混合物に含まれている固形成分を凝集沈殿させる放射能汚染物質の固液分離工程を行っている。また、凝集沈殿槽３の底に沈殿した放射性物質を含む沈殿物Ｗ２を当該凝集沈殿槽３から濃縮槽４に送り込み、当該濃縮槽４において前記沈殿物を脱水処理して濃縮化することで減容化すると共に、沈殿物に含まれているポリ乳酸系の凝集剤が水と二酸化炭素に生分解することで、減容化した濃縮汚泥Ｗ４を得る沈殿物の濃縮・減容化工程を行い、減容化後の濃縮汚泥を廃棄するために濃縮槽４から排出する濃縮汚泥排出工程を行っている。
【００３１】
一方、濃縮槽４における脱水処理によって発生した汚染水Ｗ５を凝集沈殿槽３に還流させる汚染水還流工程を行い、この還流汚染水と、凝集沈殿槽３において固形成分が凝縮沈殿した後に得られる汚染水Ｗ３（上澄み液）とを、除染装置５に通して、放射性物質を吸着分離し、放射性物質が吸着分離された後の廃液Ｗ６を所定の場所に排出する排出工程を行っている。
【００３２】
本例の放射能汚染水処理システム１を用いることにより、放射性物質で汚染された建物など洗浄した後に発生する土砂などの固形成分を含む放射能汚染水を効率よく処理することができる。
【００３３】
なお、濃縮槽４において、ここに送り込まれた沈殿物Ｗ２にセメントあるいはモルタルを混合した後に、真空高圧脱水処理を施すことにより、濃縮汚泥を固形化汚泥として生成することも可能である。このようにすれば、汚泥の搬送及び廃棄処理が簡単になる。
【００３４】
（雨樋下設置用のポータブル式放射性物質吸着装置）
次に、上記の放射能汚染水処理システム１において使用した除染装置５を、建物の屋根から雨樋を介して流れ落ちる放射性物質を含む汚染水をろ過するためのポータブル式放射性物質吸着装置として用いることができる。
【００３５】
図３を参照して説明すると、本例のポータブル式放射性物質吸着装置３０は、汚染水Ｗ１０から放射性物質を吸着除去するものであり、ろ過器３５を備えており、このろ過器３５は、内側筒状容器３４Ａと、この内側筒状容器３４Ａを同心状に取り囲む外側筒状容器３４Ｂとを備えている。内側筒状容器３４Ａの内部には、所定粒径のゼオライトの固体粒子からなる所定厚さの中間ろ過層３１を挟み、上下に所定粒径のセラミック炭の粒子からなる所定厚さの上側ろ過層３２および下側ろ過層３３が積層配置されている。セラミック炭は、廃木材をベントナイトと混合して焼成して得られた所定粒径のセラミック炭である。筒状容器３４Ａは垂直に配置されており、その天面３４ａの中心を貫通して垂直に汚染水供給管３６ａが延びている。汚染水供給管３６ａの下端は、筒状容器３４Ａの底面３４ｂと下側ろ過層３３との間に形成した底側連通部３６ｂに繋がっている。
【００３６】
建物の雨樋（図示せず）を伝って流れ落ちる汚染水Ｗ１０は、汚染水供給管３６ａを通って流れ落ちて、底側連通部３６ｂから下側ろ過層３３、中間ろ過層３１および上側ろ過層３２を順次に通過して、内側筒状容器３４Ａの天面３４ａと外側筒状容器３４Ｂの天面３４ｃの間の天側連通部３７ａに至る。この天側連通部３７ａは、外側筒状容器３４Ｂの上端外周面から横方に水平に延びている排出管３７ｂに連通している。下側ろ過層３２、中間ろ過層３１および上側ろ過層３３を通って汚染水Ｗ１０に含まれている放射性物質が吸着除去された後の廃液Ｗ１１は、天側連通部３７ａから排出管３７ｂを通って外部に放出される。
【００３７】
ここで、下側ろ過層３３、中間ろ過層３１、上側ろ過層３２からなる三層構造のろ過層は、内側筒状容器３４Ａに対して着脱可能な状態で収納されている。したがって、ろ過層が飽和状態になった場合には、内側筒状容器３４Ａに対してろ過層を詰め替えればよい。また、ポータブル式放射性物質吸着装置３０は、雨樋の下に設置し、その汚染水供給管３６ａの上端を雨樋の下端に接続して用いるものであり、持ち運びが容易な寸法に設定されている。この構成のポータブル式放射性物質吸着装置３０は、低濃度で固形浮遊物が含まれている汚染水から放射性物質を吸着除去するために用いるのに適している。
【符号の説明】
【００３８】
１    放射能汚染水処理システム
２    供給部
３    凝集沈殿槽
４    濃縮槽
５    除染装置
Ｗ１  放射能汚染水
Ｗ２  沈殿物
Ｗ３  汚染水（上澄み液）
Ｗ４  濃縮汚泥（脱水汚泥）
Ｗ５  汚染水
Ｗ６  廃液
Ｗ７  沈殿物
６    汚染水回収タンク
７    汚染水供給ポンプ
７ａ  供給管
７ｂ  供給口
８    第１沈殿槽
９    第２沈殿槽
１０  連通部
１１  凝集剤
１２、１３  沈殿物排出路
１２ａ、１３ａ  コック
１４  攪拌機
１６  スクリューコンベア
１７  沈殿物搬送機構
１８  汚染水還流ポンプ
１８ａ  汚染水還流管
２０  汚染水圧送ポンプ
２１  中間ろ過層
２２  上側ろ過層
２３  下側ろ過層
２４  筒状容器
２４ａ  天面
２４ｂ  底面
２５  ろ過器
２６ａ  汚染水供給管
２６ｂ  底側連通部
２７ａ  天側連通部
２７ｂ  排出管
２８  沈殿物排出管
２８ａ  コック
３０  ポータブル式放射性物質吸着装置
３１  中間ろ過層
３２  上側ろ過層
３３  下側ろ過層
３４Ａ  内側筒状容器
３４Ｂ  外側筒状容器
３４ａ  天面
３４ｂ  底面
３４ｃ  天面
３５  ろ過器
３６ａ  汚染水供給管
３６ｂ  底側連通部
３７ａ  天側連通部
３７ｂ  排出管
Ｗ１０  汚染水
Ｗ１１  廃液
【図２】
2013120097.tif 000003
【図３】
2013120097.tif 000004
【図１】
2013120097.tif 000005